(57)【特許請求の範囲】
【請求項１】
略長方形状の板状基材と、この板状基材の表面に取着された表面材とを有した床材であって、
前記板状基材の両側短辺に対に形成され隣接して設置される床材と実結合される雌雄実部と、前記板状基材の裏面の短手方向に切り込まれ、長手方向に間隔を空けて複数並んで形成された切り込み溝と、前記板状基材の両側長辺に形成された治具差込凹部とを有しており、
前記治具差込凹部が、前記長辺の全長に亘って且つ前記板状基材の厚み方向の中間位置に形成されていることを特徴とする床材。
【請求項２】
請求項１において、
前記切り込み溝が、前記板状基材の裏面から前記治具差込凹部の形成部位より前記板状基材の表面側の位置まで切り込まれていることを特徴とする床材。
【発明の詳細な説明】
【技術分野】
【０００１】
本発明は、略長方形状の板状基材と、この板状基材の表面に取着された表面材とを有した床材に関する。
【背景技術】
【０００２】
この種の床材は、床下地の上に敷設した後、リフォーム時に一枚単位で剥がしやすく、張り替えが容易なものが求められる。例えば下記特許文献１に開示されている床材は、基板部と、該基板部の左右上部に水平に突設された左係止部及び右係止部とからなり、断面略T字形で、且つ木口が合いじゃくり構造とされているので、損傷した床材のみを部分的に容易に取り替えることができる。
【先行技術文献】
【特許文献】
【０００３】
【特許文献１】特開２００７−１５４６２６号公報
【発明の概要】
【発明が解決しようとする課題】
【０００４】
ところで例えば床下に電気配線等を配設する空間を備えたいわゆるフリーアクセスフロアのような若干不安定さがある下地構造の上に、仕上げ材として敷設される床材の場合、多少不陸があっても床材と床材の接合部分に段差が生じないものが求められる。よって、このようなフリーアクセスフロアの仕上げ材としては、タイルカーペットやポリ塩化ビニル等の合成樹脂材からなるタイル等が用いられることが多い。
【０００５】
本発明は、このような問題を考慮して提案されたもので、その目的は、様々な下地構造に対応でき、剥がしやすい床材を提供することにある。
【課題を解決するための手段】
【０００６】
上記目的を達成するために、本発明の床材は、略長方形状の板状基材と、この板状基材の表面に取着された表面材とを有した床材であって、前記板状基材の両側短辺に対に形成され隣接して設置される床材と実結合される雌雄実部と、前記板状基材の裏面の短手方向に切り込まれ、長手方向に間隔を空けて複数並んで形成された切り込み溝と、前記板状基材の両側長辺に形成された治具差込凹部とを有しており、前記治具差込凹部が、前記長辺の全長に亘って且つ前記板状基材の厚み方向の中間位置に形成されていることを特徴とする。
【発明の効果】
【０００７】
本発明の床材によれば、上述の構成となっているため、様々な下地構造に対応でき、剥がしやすい床材とすることができる。
【図面の簡単な説明】
【０００８】
【図１】本発明の一実施形態に係る床材を模式的に示す説明図であり、（ａ）は床材を短辺側からみた場合の模式的斜視図、（ｂ）は（ａ）のX部拡大図である。
【図２】同床材を敷設した状態を模式的に示す説明図であり、（ａ）は同床材を短辺側からみた場合の断面図、（ｂ）は床材を長辺側からみた場合の側面図である。
【図３】同床材の施工過程を模式的に示す説明図であり、施工状態を示す平面図でもある。
【発明を実施するための形態】
【０００９】
以下に、本発明の一実施形態に係る床材の例について、添付図面をもとに説明する。
本実施形態に係る床材１は、略長方形状の板状基材２と、板状基材２の表面２ａに取着された表面材１０とを有している。また床材１は、隣接して設置される床材１と実結合される雌雄実部３，４と、板状基材２の裏面２ｂに形成された切り込み溝５と、板状基材２の両側長辺２１，２１に形成された治具差込凹部６とを有している。雌雄実部３，４は、板状基材２の両側短辺２０，２０に対に形成され隣接して設置される床材と実結合される。切り込み溝５は、板状基材２の裏面２ｂの短手方向に切り込まれ、長手方向に間隔を空けて複数並んで形成されている。治具差込凹部６は、板状基材２の両側長辺２１，２１に形成されている。
【００１０】
さらに詳しく説明する。床材１は略長方形の平板状とされ、本実施形態では、図３に示すように一方向に長尺とされている。この床材１の長さ寸法や幅寸法、厚さ寸法等は、特に限定されない。例えば、床材１を長さ寸法が６００ｍｍ〜１２００ｍｍ程度、幅寸法が１００ｍｍ〜２００ｍｍ程度、厚さ寸法が３ｍｍ〜３０ｍｍ程度とされたものとしてもよいし、上記よりもさらに小さい寸法としてもよい。また床材１を長さ寸法が１５００ｍｍ〜２０００ｍｍ程度、幅寸法が２５０ｍｍ〜５００ｍｍ程度とされた長尺板状体としてもよい。
【００１１】
床材１の板状基材２の表面２ａ（上面）は、図１（ａ）に示すように薄いシート状の表面材１０を積層した構成としている。表面材としては、天然木材（銘木）を加工等して形成された突板等の単板や、木目柄等の種々の柄（模様）が印刷された化粧印刷紙やオレフィン系等の合成樹脂系フィルム、石材、ガラス材等としてもよい。また表面材１０は、熱着色処理された突板（ＷＡＴ突板）でフローコーターやロールコーター等によって塗装が施されたものとしてもよい。なお、図例では、板状基材２の表面２ａ（上面）を、平坦面状とした例を示しているが、表面２ａ側に化粧溝等が設けられたものとしてもよい。
【００１２】
板状基材２としては、木質系材料や、合成樹脂系材料、無機系材料、金属系材料等から形成されたものとしてもよく、複数種の材料から形成されたものとしてもよい。例えば、板状基材２を合板やＬＶＬ（単板積層材）等の木質積層板、パーティクルボード等の木質ボード、ＭＤＦ（中密度繊維板）やＨＤＦ（高密度繊維板）等の木質繊維板などの木質系ボードから形成されたものとしてもよいし、木質系プラスチックボードとしてもよい。板状基材２の両側短辺２０，２０には、対になるように雌雄実部３、４が形成されており、図２（ｂ）に示すように短辺２０の一側端部には、凹状の雌実部３が形成されている。雌実部３の形状は、図例に限定されないが、雄実部４の形状に応じて形成され、要は雄実部４を受け入れ実結合可能な形状であればよい。また図１（ａ）及び図２（ｂ）に示すように短辺２０の他側端部には、凸状の雄実部４が形成されている。雄実部４の形状も図例のもののように、基部より先側が細い形状の凸状に限定されないが、床材１を施工する際に実結合しやすい形状が望ましい。
【００１３】
板状基材２の裏面２ｂには、裏面２ｂから表面２ａに向けて短手方向に切り込み形成され、長手方向に適宜間隔を空けて複数並んで形成された切り込み溝５が形成されている。切り込み溝５の溝幅も特に限定されるものではないが、例えば１ｍｍ〜５ｍｍ程度としてもよい。また切り込み溝５の切り込み深さは、板状基材２が折れて破損することがなく且つ、撓みが生じるように設定して形成されており、例えば裏面２ｂから表面２ａに向かって板状基材２の厚みの１／３以上になるように形成されている。図に示す切り込み溝５は、その切り込み深さが裏面２ｂから表面２ａに向かって板状基材２の厚みの２／３以上になるように形成されている。切り込み溝５と切り込み溝５との間隔は特に限定されるものではなく、例えば板状基材２の長手方向に５ｍｍ〜５０ｍｍの間隔としてもよい。図１（ｂ）において、５０は切り込み溝５の切り込み底部、５１は切り込み溝５の切り込み開口を示している。具体的には、図１（ｂ）に示すように切り込み溝５の切り込み底部５０が、板状基材２の裏面２ｂから治具差込凹部６の形成部位より板状基材２の表面２ａ側の位置、言い換えると治具差込凹部６の上方端部と板状基材２の表面２ａの間の位置まで切り込まれている。このように切り込み溝５が板状基材２の裏面２ｂ側だけでなく、板状基材２の両端面にまで切り込まれているものとすれば、床材１としてある程度の剛性を保ちながら、可撓性を有したものとすることができる。よって、床材１は板状基材２の表面２ａ側で一枚につながっており、表裏のいずれの方向にも撓ませることができる。
【００１４】
板状基材２の両側長辺２１，２１には、治具差込凹部６が形成されている。図に示す治具差込凹部６は、長辺２１の全長に亘って形成されている。治具差込凹部６の形状は、図例のものは、断面略倒Ｕ字状に湾曲した形状としているが、これに限定されるものではない。例えば、治具差込凹部６の角が略直角状とした凹状であってもよいし、治具差込凹部６の開口側から治具差込凹部６の底にかけて次第に狭くなるような傾斜状であってもよい。要は、治具差込凹部６は、床材１を剥がす際に床材１と床材１との間に挿入される治具９が挿入しやすく、治具９が係止されやすい形状であればよい。治具差込凹部６の開口寸法は、特に限定されないが、例えば１．５ｍｍ〜３．０ｍｍ程度としてもよく、治具差込凹部６の奥行寸法は、０．５ｍｍ以上が望ましい。このように治具差込凹部６を長辺２１の全長に亘って形成されたものとすれば、床材１を剥がす際に挿入される治具９（図２参照）を板状基材２の長辺２１のどこからでも挿入できる。
【００１５】
治具差込凹部６は、図例のように長辺２１の全長に亘って形成されているものに限定されず、適宜間隔空けて設けるようにしてもよいし、板状基材２の長辺２１の略中央部位に一箇所設けるようにしてもよい。この場合は、治具差込凹部６に治具９を挿入する際は、長辺２１の略中央部位を狙って差し込めばよく、板状基材２に対する治具差込凹部６の加工領域を狭めることができる。
【００１６】
板状基材２の裏面２ｂには、樹脂製、ゴム製等の軟質の薄状シート材７が貼着されている。樹脂製のものとしては、例えばオレフィン系等の合成樹脂系フィルムとしてもよい。薄状シート材７は、切り込み溝５の切り込み開口５１を塞ぐように貼り付けられており、切り込み溝５により与えられる可撓性に追従しながらも、床材１を施工する際に施工しやすいものとすることができる。
【００１７】
次に図２、図３等を参照しながら、床材１を用いた施工例について説明する。なお、図２では、床材１を剥がす際に用いる治具９を２点鎖線で示している。また図２（ｂ）では、床材１を剥がす際に生じる床材１の撓みを２点鎖線で示している。ここで用いられる治具９は図例の形状のものに限定されるものではなく、ドライバー等であってもよい。なお、図２では表面材１０及び薄状シート材７の図示、図３では表面材１０の図示は省略している。
【００１８】
図例の床下地８は、床下に電気配線等を配設する空間を備えたいわゆるフリーアクセスフロアの例を示しており、床材１は床下地８の上にフローリングの仕上げ材として敷設されている。床下地８は例えば５００ｍｍ×５００ｍｍの略正方形状のタイルパネルで構成され、スチール製や樹脂材製等で形成されている。このような床下地８の上に床材１の短辺２０，２０同士を実結合させ、床材１が敷設される。床材１の裏面に、例えばリフォーム用床材接着剤として汎用されている接着剤や両面テープを塗布或いは貼着し施工してもよい。このフリーアクセスフロアのような若干不安定な下地構造に対して、従来の木質系床材を施工すると、荷重により床下地が沈むと床材の一方が沈んで他方が跳ね上がったり、がたつきや段差が生じる。しかし本実施形態の床材１によれば、床材１の短辺２０，２０同士は実結合され、且つ複数の切り込み溝５を有しているので板状基材２が適度に撓み、上述のような跳ね上がりや段差の発生を防止することできる。また本実施形態の床材１によれば、床材１を敷設する施工時に、床材１を撓ませることができるので、隣合う床材１，１同士の実結合がしやすいという効果も奏する。
【００１９】
一方、床下地８に施工した床材１を一枚単位で剥がす場合は、図２（ｂ）に示すように床材１の長辺２１の略中央あたりに治具９を差込み、差し込んだ治具９を図２（ａ）に示すように治具差込凹部６に係止させる。そしてその後、上方に治具９を引き上げれば、床材１は図２（ｂ）の２点鎖線で示すように長手方向の中央部分を起点にしてアーチ状に撓みが生じ、容易に床材１が剥がすことができる。このように本実施形態の床材１によれば、板状基材の長辺に治具差込凹部６が形成されているので、床材１を剥がす際に治具９を引っ掛けやすく、床材１を一枚単位で剥がしやすい。また本実施形態に係る床材１のように切り込み底部５０が、治具差込凹部６の形成部位より板状基材２の表面２ａ側まで切り込まれているものとすれば、床材１を剥がす際に、床材１がしなり易く剥がしやすい。
【００２０】
以上、本実施形態に係る床材１の形状、構成等は図例に限定されるものではない。また以上では、フリーアクセスフロアの床下地８の上に敷設する例を説明したが、それに限定されるものではない。さらに床材１の施工例として、接着剤等によって床下地８に対して固定する例を説明したが、これに限定されず、釘やねじ等の止め具で固定してもよいし、床下地８に対しては固定せずに置敷施工される置敷床材としてもよい。また床材１を剥がす際には、治具９を複数用いて床材１を剥がすようにしてもよい。
【符号の説明】
【００２１】
１              床材
２              板状基材
２ａ            表面
２ｂ            裏面
２０            短辺
２１            長辺
３              雌実部
４              雄実部
５              切り込み溝
６              治具差込凹部
９              治具
１０            表面材
【図１】
0006678329.tif 000002
【図２】
0006678329.tif 000003
【図３】
0006678329.tif 000004